(57)【特許請求の範囲】
【請求項１】
シリンダヘッドの上面を覆うヘッドカバーの上面に，各気筒ごとの点火用電磁コイルを配設する一方，前記ヘッドカバーに，カム軸の回転位置を検出するカムセンサを，当該カムセンサにおけるセンシング部が前記カム軸における被検出部に近接するように装着して成る内燃機関において，
前記センシング部及び被検出部と，前記点火用電磁コイルとの間の部位に，前記点火用電磁コイルから前記センシング部及び被検出部に向かう電波を遮断するための遮蔽部材が設けられており，この遮蔽部材は，前記ヘッドカバーの内部にブローバイガス用気液分離室の底部を形成する底板に一体に設けられ，前記底板の一部を下向きに折り曲げて成る構成であることを特徴とする内燃機関におけるカム軸の回転位置検出装置。
【発明の詳細な説明】
【技術分野】
【０００１】
本発明は，吸気弁及び排気弁のうちいずれか一方又は両方のカム軸における回転位置を検出するための装置に関するものである。
【背景技術】
【０００２】
最近の内燃機関においては，その吸気弁及び排気弁のうちいずれか一方又は両方におけるバルブタイミングを，内燃機関における負荷等に応じて変更するように制御することが行われており，このバルブタイミングの変更制御に際しては，カム軸の回転位置を常に検出することが必要であり，このカム軸における回転位置の検出には，磁石式のカムセンサが使用される。
【０００３】
この場合，先行技術としての特許文献１には，前記磁石式のカムセンサを，シリンダヘッドの上面にカム軸を覆うように取付けられているヘッドカバーに装着して，このカムセンサにおけるセンシング部を，前記カム軸における被検出部に近接して対峙することにより，前記被検出部と前記センシング部との間に波形信号を発生し，この波形信号にて前記カム軸の回転位置を検出するという構成にすることが記載されている。
【０００４】
また，別の先行技術としての特許文献２には，内燃機関の各気筒における点火栓に対する点火用電磁コイルを，前記シリンダヘッドの上面のうち各気筒の箇所ごとに設けるという構成にすることが記載されている。
【特許文献１】特開２００３−３２２００６号公報
【特許文献２】特開平１１−３０３６７７号公報
【発明の開示】
【発明が解決しようとする課題】
【０００５】
しかし，前記シリンダヘッドの上面を覆うヘッドカバーに，前記特許文献１のように，カムセンサを設けるという構成にすることに加えて，前記特許文献２のように，各気筒に対する点火用電磁コイルを設けるという構成にした場合には，前記点火用電磁コイルが，カムセンサのうちカム軸の被検出部に近接するセンシング部に近づくことにより，前記カムセンサのセンシング部と前記被検出との間に発生する波形信号には，前記点火用電磁コイルからの波形信号の電波が伝播して，ノイズ信号として重なることになるから，その結果，前記カムセンサによるカム軸の回転位置の検出に，誤差又は検出不能等のような悪影響を及ぶという問題があった。
【０００６】
特に，この問題，つまり，前記ヘッドカバーの上面に配設した点火用電磁コイルが前記カム軸の回転位置の検出に及ぼす悪影響は，前記ヘッドカバーが，その軽量化等を図るために合成樹脂製にした場合において，顕著になるのであった。
【０００７】
本発明は，これらの問題を解消した回転位置の検出装置を提供することを技術的課題とするものである。
【課題を解決するための手段】
【０００８】
この技術的課題を達成するため本発明の請求項１は，
「シリンダヘッドの上面を覆うヘッドカバーの上面に，各気筒ごとの点火用電磁コイルを配設する一方，前記ヘッドカバーに，カム軸の回転位置を検出するカムセンサを，当該カムセンサにおけるセンシング部が前記カム軸における被検出部に近接するように装着して成る内燃機関において，
前記センシング部及び被検出部と，前記点火用電磁コイルとの間の部位に，前記点火用電磁コイルから前記センシング部及び被検出部に向かう電波を遮断するための遮蔽部材が設けられており，この遮蔽部材は，前記ヘッドカバーの内部にブローバイガス用気液分離室の底部を形成する底板に一体に設けられ，前記底板の一部を下向きに折り曲げて成る構成である。」
ことを特徴としている。
【発明の効果】
【００１０】
前記請求項１によると，前記点火用電磁コイルから前記センシング部及び被検出部に向かう電波は，その間に設けられている前記遮蔽部材によって遮断できるから，前記カムセンサによるカム軸の回転位置の検出に，前記点火用電磁コイルによる悪影響を及ぶことを，前記ヘッドカバーが合成樹脂製である場合においても，確実に低減できる。
【００１１】
前記遮蔽部材は，前記シリンダヘッド又は前記ヘッドカバーに取付けるという構成にできるが，請求項１に記載した構成にすることにより，前記遮蔽部材を，前記ヘッドカバーの内部にブローバイガス用気液分離室の底部を形成するための底板と一緒に取付けることができるから，部品点数の低減，ひいては，組み付け作業の軽減を図ることができる。
【発明を実施するための最良の形態】
【００１２】
以下，本発明の実施の形態を図面について説明する。
【００１３】
図１〜図３は，第１の実施の形態を示す。
【００１４】
これらの図において，符号１は，複数の気筒２を列状に備えた内燃機関におけるシリンダヘッドを，符号３は，前記シリンダヘッド１の上面を覆う合成樹脂製のヘッドカバーを各々示す。
【００１５】
前記シリンダヘッド１の上面に，前記各気筒２の吸気弁（図示せず）に対するカム軸４と，前記各気筒２の排気弁（図示せず）に対するカム軸５とが，気筒列の両側に沿って延びるように配設され，軸受け部１７，１８にて回転自在に軸支されており，これら両カム軸４，５の一端には，円盤型の被検出部６，７が，カム軸４，５と一緒に回転するように設けられている。
【００１６】
一方，前記ヘッドカバー２のうち前記吸気弁用カム軸４の上方の部位と，前記排気弁用カム軸５の上方の部位との両方に，ブローバイガスに対する気液分離室８，９が気筒列の方向に延びるように設けられており，これら各気液分離室８，９の底部は，前記ヘッドカバー２の内面に取付けた金属板製の底板１０，１１にて閉ざされており，これら各気液分離室８，９内に，入口８ａ，９ａから入ったブローバイガスは，当該各気液分離室８，９内をジクザク状に流れ油分が分離されたのち，その各々における出口８ｂ，９ｂから吸気マニホールド（図示せず）等のブローバイガス処理部に排出される。
【００１７】
また，前記ヘッドカバー３における上面のうち前記各気液分離室８，９間の部位には，各気筒の点火栓（図示せず）に対する点火用電磁コイル１２が，各気筒２の箇所ごとに配設されている。
【００１８】
更にまた，前記ヘッドカバー３における側面のうち前記吸気弁用カム軸４の部分と，前記排気弁用カム軸５との両方に，磁石式のカムセンサ１３，１４が着脱可能に取付けられており，この両カムセンサ１３，１４におけるセンシング部１３ａ，１４ａを，前記各カム軸４，５における被検出部６，７に近接することにより，一方のカムセンサ１３におけるセンシング部１３ａと一方の被検出部６との間に発生する波形信号にて前記吸気弁用カム軸４における回転位置を検出し，他方のカムセンサ１４におけるセンシング部１４ａと他方の被検出部７との間に発生する波形信号にて前記排気弁用カム軸５における回転位置を検出するように構成している。
【００１９】
前記各気液分離室８，９における金属板製の底板１０，１１には，前記各気液分離室８，９内への入口８ａ，９ａ側の部分に下向きに折り曲げて成る遮蔽部材１５，１６を一体に設けて，この各遮蔽部材１５，１６を，前記点火用電磁コイル１２と，前記各カム軸４，５における被検出部６，７との間の部位に位置することにより，前記点火用電磁コイル１２において発生する波形信号の電波がノイズとして前記各被検出部６，７側に伝播するのを，この各遮蔽部材１５，１６にて遮断するように構成している。
【００２０】
これにより，前記各カムセンサ１３，１４による各カム軸４，５の回転位置の検出に，前記点火用電磁コイル１２による悪影響が及ぶことを，前記ヘッドカバー３が合成樹脂製である場合においても，確実に低減できる。
【００２１】
本実施の形態において，前記各遮蔽部材１５，１６は，前記各カム軸４，５の軸受け部１７，１８等に供給した潤滑油が，前記各被検出部６，７側及び各気液分離室８，９の入口８ａ，９ａ側に飛散するのを阻止する役目をも果たしている。
【００２２】
前記各遮蔽部材１５，１６は，図４に示す第２の実施の形態のように，前記各底板１０，１１の一部を下向きに折り畳むようにすることによって設けるという構成することができる。
【００２３】
また，各カムセンサ１３，１４は，図示のように，ヘッドカバー３の側面に取付けることに代えて，ヘッドカバー３の上面に取付けることができる。
【図面の簡単な説明】
【００２４】
【図１】内燃機関の平面図である。
【図２】図１のII−II視断面図である。
【図３】図１のIII −III 視断面図である。
【図４】第２の実施の形態を示す断面図である。
【符号の説明】
【００２５】
１                シリンダヘッド
２                気筒
３                ヘッドカバー
４，５            カム軸
６，７            被検出部
８，９            ブローバイガス用気液分離室
１０，１１        底板
１２              点火用電磁コイル
１３，１４        カムセンサ
１３ａ，１４ａ    センシング部
１５，１６        遮蔽部材
【図１】
0005145075.tif 000002
【図２】
0005145075.tif 000003
【図３】
0005145075.tif 000004
【図４】
0005145075.tif 000005